(57)【要約】【課題】  携帯電話やヘッドフォン或いはマウスや各種のコードのようなアクセサリ類につき、フード紐のようなコード類を介して極めて簡易に取り付け或いは取り外しが可能なキャラクターグッズである。【解決手段】  底面５に幅広な開口部６を備えたスリット８を経て中心部に円筒窓９を穿設させ、かつ上面３上は、任意である弾性プラスチック製樹脂からなる弾性六面体２などを形成し、上記円筒窓９にコード類７を挿通させる。【選択図】  図２
0003102097.tif 000002
【実用新案登録請求の範囲】
【請求項１】
底面に幅広な開口部を備えたスリットを経て中心部に円筒窓を穿設させた弾性プラスチック製樹脂からなる弾性六面体を形成し、
上記円筒窓にコード類を挿通させてなることを特徴とするキャラクターグッズ。
【請求項２】
底面に幅広な開口部を備えたスリットを経て中心部に円筒窓を穿設させ、
かつ上面上に立体形状の立体像を配した弾性プラスチック製樹脂からなる弾性六面体を形成し、
上記円筒窓にコード類を挿通させてなることを特徴とするキャラクターグッズ。
【請求項３】
弾性六面体の少なくとも一面に任意の色彩や絵柄及び絵文字などの絵模様を施してなることを特徴とする請求項１又は２記載のキャラクターグッズ。
【請求項４】
コード類の該当する端面間に弾性を備えるプラスチック製樹脂膜を巻装してなることを特徴とする請求項１，２又は３記載のキャラクターグッズ。
【請求項５】
弾性プラスチック製樹脂からなる弾性多面体若しくは弾性球面体であることを特徴とする請求項１，２，３又は４記載のキャラクターグッズ。
【考案の詳細な説明】
【技術分野】
【０００１】
本考案は、携帯電話やヘッドフォン或いはマウスや各種のコードのようなアクセサリ類及びパーカーなどの衣類などにつき、フード紐のようなコード類を介して極めて簡易に取り付け或いは取り外しが可能なキャラクターグッズに関するものである。
【背景技術】
【０００２】
一般的に云えば、上記する携帯電話などにおいて、ストラップと云われるコード類を介して携帯電話のような小物類が取り付け或いは取り外しが行われている。例えば、特許文献１のキーホルダー３０が知られている。
【０００３】
このキーホルダー３０は、人形や動物等のキャラクター立体像からなる下げ飾り本体３１と、該下げ飾り本体３１を貫通して装着した万華鏡本体３２と、該万華鏡本体３２の一端又は下げ飾り本体３１の一部に下げ鎖等の連結部材３３を介して連結した鍵挿通用環体３４とを具備している。そして、万華鏡本体３２の覗き窓３５に模様拡大視用凸レンズ３６を装着させている。
【０００４】
また、特許文献２のキーホルダー４０は、フック４１に接続リング４２に連結され、連結リング４３からゴム輪接続リング４４を連結し、ゴム輪止め調整リング４５を設けたゴム輪４６が接続されている。
【０００５】
【特許文献１】特開２０００−３３００７１
【特許文献２】特開２００１−７８８７４
【考案の開示】
【考案が解決しようとする課題】
【０００６】
しかし、特許文献１及び特許文献２には、次のような課題がある。
（１）これら特許文献１及び特許文献２は、何れもがキーホルダーの形状を奏するものであれば、これを連続形状に連結することができない欠具合がある。
（２）しかも、キーホルダーの対象となる小形状の六面体類は、多様な立体像などを奏するものであれば、同様にこれを連続形状に連結することができない不具合が生じることがある。
【課題を解決するための手段】
【０００７】
このため、上記課題を解決するために、第一の考案は、底面に幅広な開口部を備えたスリットを経て中心部に円筒窓を穿設させた弾性プラスチック製樹脂からなる弾性六面体を形成し、上記円筒窓にコード類を挿通させてなることを特徴とする。
【０００８】
第二の考案は、底面に幅広な開口部を備えたスリットを経て中心部に円筒窓を穿設さ
せ、かつ上面上に立体形状の立体像を配した弾性プラスチック製樹脂からなる弾性六面体を形成し、上記円筒窓にコード類を挿通させてなることを特徴とする。
【０００９】
第三の考案は、弾性六面体の少なくとも一面に任意の色彩や絵柄及び絵文字などの絵模様を施してなることを特徴とする。
【００１０】
第四の考案は、コード類の該当する端面間に弾性を備えるプラスチック製樹脂膜を巻装してなることを特徴とする。
【００１１】
第五の考案は、弾性プラスチック製樹脂からなる弾性多面体若しくは弾性球面体でなることを特徴とする。
【考案の効果】
【００１２】
本考案によれば、次のような効果を有する。
（１）このキャラクターグッズは、弾性六面体の少なくとも一面に施した色彩や絵柄のような絵模様、さらにその上面に配した立体像など各人の好みに合わせた弾性六面体に対応させたものを選択でき、それを利用できる利点がある。
（２）このキャラクターグッズは、そのスリットを介してコード類に挿通させて弾性六面体を一乃至任意数に分けて任意の数を取り付け或いは取り外しができ、広告や宣伝用として使用できる利点がある。
（３）しかも、そのスリットは、弾性六面体が弾性を備えているからコード類への挿通が簡易であり、また、コード類が細くても該当する端面間にプラスチック製樹脂膜を巻装すれば、極めて簡易に取り付け或いは取り外しができる利点がある。
（４）さらに、弾性六面体の他に弾性多面体や弾性球面体を使用することで多様な形状や雰囲気を醸し出すものである。
【考案を実施するための最良の形態】
【００１３】
本考案の最良の形態を図面に基づいて説明する。
図１は、本考案の第一実施例を示すキャラクターグッズの説明図、図２は、第二実施例を示す弾性六面体の説明図、図３は、同使用例を示すキャラクターグッズの説明図、図４は、第三実施例を示すキャラクターグッズの説明図、図５は、同プラスチック製樹脂膜の説明図ある。
【００１４】
第一実施例に示すキャラクターグッズ１ａとして、弾性プラスチック製樹脂からなる弾性六面体２で形成され、その上面３は、平らな平面であり、底面５には、幅広な開口部６を備えており、そのコード類７が簡易に取り付けやすく構成され、スリット８を経て中心部に円筒窓９を穿設させてある。また、この弾性六面体２の少なくとも一面１０には、任意の色彩や絵柄或いは絵文字などの絵模様１１が施してあり、その任意な絵模様１１を施すことによって、使用者の好みに合わせることができる利点がある。
【００１５】
上記キャラクターグッズ１ａは、弾性プラスチック製樹脂から構成されており、周知の構成であり、弾性を備える弾性プラスチック製樹脂からなる弾性六面体２で形成されている。そして、その底面５には、幅広な開口部６を備えてあり、コード類７が簡易に取り付けやすく構成され、スリット８を経て中心部に円筒窓９を穿設させてある。
【００１６】
第二実施例に示すキャラクターグッズ１ｂとして、図示するように上面３に人物を表す立体像４ｂが配してあり、その他の構成は、上記キャラクターグッズ１ａと同様な構成としてある。
【００１７】
第三実施例に示すキャラクターグッズ１ｃとして、図示するように上面３に立ち上がった人物を表す立体像４ｃが配してあり、また、円筒窓９に配するコード類７の径が細いときには、このコード類７ｃの該当する端面間に弾性を備えるプラスチック製樹脂膜１２を巻装させれば、その径を太くさせることができ、コード類７ｃに挿通させられる。その他の構成は、上記キャラクターグッズ１ｂと同様な構成としてある。なお、コード類の該当する端面間とは、この弾性六面体における一面と相対向し合う他面を云うものであり、図４において説明すると、コード類７ｃが挿通している出入り口面を示し、想像線で表しているキャラクターグッズ製樹脂膜１２を云う。
【００１８】
さらに、図示省略してあるが、上記弾性六面体に代えて弾性多面体若しくは弾性球面体
の形状に構成できる。このような形状に構成することにより、弾性六面体に比べ多様な雰囲気を備えるものである。
【００１９】
なお、これらキャラクターグッズ１，１ａ，１ｃは、それぞれ単体構成のコード類７，７ｃに取り付けてあるが、コード類７，７ｃに任意数のキャラクターグッズ１，１ａ，１ｃを連接することができる。上記する弾性多面体や弾性球面体も同様である。
【産業上の利用可能性】
【００２０】
本考案は、携帯電話やヘッドフォン或いはマウスや各種のコードのようなアクセサリ類及びパーカーなどの衣類などにつき、フード紐のようなコード類を介して極めて簡易に取り付け或いは取り外しが可能なキャラクターグッズに関するものである。
【図面の簡単な説明】
【００２１】
【図１】本考案の第一実施例を示すキャラクターグッズの説明図。
【図２】第二実施例を示す弾性六面体の説明図。
【図３】そのキャラクターグッズの説明図。
【図４】第三実施例を示すキャラクターグッズの説明図。
【図５】そのプラスチック製樹脂膜の説明図。
【図６】従来例の説明図。
【図７】同断面図。
【図８】異なる従来例の説明図。
【符号の説明】
【００２２】
２      弾性六面体    ３      上面
４      立体像        ５      底面
６      開口部        ７      コード類
８      スリット      ９      円筒窓
１０      一面        １１      プラスチック製樹脂膜
【図１】
0003102097.tif 000003
【図２】
0003102097.tif 000004
【図３】
0003102097.tif 000005
【図４】
0003102097.tif 000006
【図５】
0003102097.tif 000007
【図６】
0003102097.tif 000008
【図７】
0003102097.tif 000009
【図８】
0003102097.tif 000010